【事件の表示】
　特許第３４０１５２４号「写真自販機」の請求項１ないし８に係る特許に対する特許異議の申立てについて、次のとおり決定する。
【結　論】
　訂正を認める。
　特許第３４０１５２４号の請求項１ないし５に係る特許を維持する。
【理　由】
第１　手続の経緯
　本件特許異議の申立てに係る特許第３４０１５２４号は、平成１３年１月１９日に出願された特願２００１−１１１１６号の一部を、平成１３年８月２１日付けで分割して出願したものであって、平成１５年２月２８日に設定登録され、同年４月２８日に特許公報が発行されたものである。
　その後、特許異議申立期間である、平成１５年９月２６日に高倉博隆より全請求項（請求項１乃至８）に係る特許に対して、平成１５年１０月２８日に東川泰之より全請求項に係る特許に対して、平成１５年１０月２８日に後藤裕美より全請求項に係る特許に対して、平成１５年１０月２７日に重冨與八郎より請求項１乃至５に係る特許に対して、平成１５年１０月２８日に北村清隆より全請求項に係る特許に対して、特許異議の申立てがなされたものである。
　そして、平成１６年８月２６日付け（発送日：平成１６年９月３日）で取消理由通知がなされ、その指定期間内である平成１６年１０月２８日に訂正請求がなされ、さらに、該訂正請求に対して、平成１６年１２月１５日付け（発送日：平成１７年１月４日）で、訂正拒絶理由通知を兼ねる取消理由通知がなされ、その指定期間内である平成１７年２月４日に訂正請求がなされたものである。
　なお、平成１６年１０月２８日付けの訂正請求は、取り下げられた。
　又、特許異議申立人北村清隆より、平成１６年１２月２０日付け及び平成１６年１２月２４日付けで上申書が提出されている。
　
第２　取消理由通知の概要
　平成１６年１２月１５日付取消理由通知は、「本件特許第３４０１５２４号の請求項１及び４に係る特許は、特許法第３６条第６項に規定する要件を満たしていない。」というもので、その内容は次のとおりである。
　　　　　　　　　　　　　　　　記　　　　　　　　　　　　　　　
　１．特許請求の範囲の請求項１第５行（指摘行は訂正明細書による。以下、同じ）の「第１ブースとは異なる場所」は、使用者がスムースに流れるように移動する場所を明確に表しておらず、請求項１に係る発明が明確でない。
　２．請求項１第１３〜１９行には、単に作用のみが記載されており、何が撮影回数を制限するのか、何が手書き画像の入力時間を制限するのか、構成が明確でなく、又、それらが何によって制御されているのかも明確でないので、請求項１に係る発明が明確でない。
　３．請求項４について、現記載では、各構成が請求項１と重複しており、請求項４に係る発明が明確でない。
　
第３　訂正の適否についての判断
１．訂正の内容
　特許権者は、上記取消理由通知に対して、平成１７年２月４日付けで訂正請求書を提出し、その請求の趣旨は、本件特許明細書及び図面を訂正請求書に添付した訂正明細書及び図面のとおり訂正することを求める、というものであり、訂正の内容は次のａ〜ｌのとおりである。
　ａ．請求項１を削除する。
　ｂ．請求項２の「第２画像」を「手書き画像」と訂正する。
　ｃ．請求項３を削除する。
　ｄ．請求項４を削除する。
　ｅ．請求項５の「請求項１〜４のいずれか一項」を「請求項１または２」と訂正し、その項番号を請求項３とする。
　ｆ．請求項６を次のように訂正し、その項番号を請求項１とする。
　「使用者を撮影してその写真を販売する写真自販機であって、
　略独立した空間を形成して使用者が撮影を行なう第１ブースがその前面に設けられるとともに、上記使用者を撮影する撮影手段を有する第１筐体と、
　上記第１筐体と隣接して設けられ、略独立した空間を形成して上記第１ブースでの撮影が終了した使用者が手書き画像の入力操作を行なう第２ブースがその前面に設けられるとともに、使用者が上記撮影手段で撮影された撮影画像に合成される手書き画像を入力する手書き画像入力手段と、上記撮影画像を表示して上記手書き画像の入力を受け付けて入力された手書き画像と撮影画像との合成画像を表示する表示手段と、を有する第２筐体と、
　上記合成画像を印刷媒体に印刷して写真プリントとして出力する写真出力手段と、
　上記撮影手段による撮影回数をカウントするカウンタと上記手書き画像の入力可能時間を計測するタイマとを有する制御手段と、を備え、
　上記制御手段は、上記第１筐体に対して、上記撮影手段による撮影回数が規定の撮影回数に達したときに撮影動作を終了させ、つぎの使用者による撮影動作を可能とさせるとともに、上記第２筐体に対して、あらかじめ設定された所定の入力可能時間に達したときに手書き画像の入力を停止させ、一定時間所定のメッセージ画面を上記表示手段に表示した後、上記第１筐体の撮影手段による撮影画像を上記第２筐体の表示手段に表示して上記使用者による手書き画像の入力を可能とさせるよう制御するものであり、異なる使用者が、上記第１筐体の撮影手段による撮影と、第２筐体の手書き画像入力手段による手書き画像の入力とを同時に行ない得るよう構成されていることを特徴とする写真自販機。」
　ｇ．請求項７を次のように訂正し、その項番号を請求項４とする。
　「上記所定のメッセージ画面が、使用者に待機する場所を示す待機メッセージ画面である請求項１または２記載の写真自販機。」
　ｈ．請求項８の「表示したのち」 を「表示した後」と訂正するとともに、請求項８の「使用者の第２画像」 を「使用者による手書き画像」と訂正し、その項番号を請求項５とする。
　ｉ．明細書の段落番号０００９の「課題を解決するための手段」の記載を次のように訂正する。
　「上記の目的を達成するため、本発明の写真自販機は、使用者を撮影してその写真を販売する写真自販機であって、
　略独立した空間を形成して使用者が撮影を行なう第１ブースがその前面に設けられるとともに、上記使用者を撮影する撮影手段を有する第１筐体と、
　上記第1箇筐体と隣接して設けられ、略独立した空間を形成して上記第１ブースでの撮影が終了した使用者が手書き画像の入力操作を行なう第２ブースがその前面に設けられるとともに、使用者が上記撮影手段で撮影された撮影画像に合成される手書き画像を入力する手書き画像入力手段と、上記撮影画像を表示して上記手書き画像の入力を受け付けて入力された手書き画像と撮影画像との合成画像を表示する表示手段と、を有する第２筐体と、
　上記合成画像を印刷媒体に印刷して写真プリントとして出力する写真出力手段と、
　上記撮影手段による撮影回数をカウントするカウンタと上記手書き画像の入力可能時間を計測するタイマとを有する制御手段と、を備え、
　上記制御手段は、上記第１筐体に対して、上記撮影手段による撮影回数が規定の撮影回数に達したときに撮影動作を終了させ、つぎの使用者による撮影動作を可能とさせるとともに、上記第２筐体に対して、あらかじめ設定された所定の入力可能時間に達したときに手書き画像の入力を停止させ、一定時間所定のメッセージ画面を上記表示手段に表示した後、上記第１筐体の撮影手段による撮影画像を上記第２筐体の表示手段に表示して上記使用者による手書き画像の入力を可能とさせるよう制御するものであり、異なる使用者が、上記第１筐体の撮影手段による撮影と第２筐体の手書き画像入力手段による手書き画像の入力とを同時に行ない得るよう構成されていることを要旨とする。」
　ｊ．明細書の段落番号００１０第１行の「被写体」を「使用者」と訂正する。
　ｋ．明細書の段落番号００１０〜００１４に記載される「第２画像」（１３箇所）を全て「手書き画像」と訂正する。
　ｌ．明細書の段落００１２第２行の「撮影時の被写体が存在する第１ブース」を「使用者が撮影を行なう第１ブース」と訂正する。
　
２．訂正の目的の適否、新規事項の有無及び拡張・変更の存否
(１)訂正事項ａ、ｃ、ｄについて
　当該訂正は、特許請求の範囲の請求項（１、３、４）を削除するものであるから、特許請求の範囲の減縮を目的とするものである。
(２)訂正事項ｂについて
　当該訂正は、第２筐体において入力される「第２画像」が「手書き画像」であることを特定するものであるから、特許請求の範囲の減縮を目的とするものであり、又、この点は、明細書の段落番号００３０等に記載されている事項であるから、当該訂正は、願書に添付した明細書又は図面に記載した事項の範囲内のものである。
(３)訂正事項ｅについて
　当該訂正は、上位の請求項の削除により、引用する項番号の整合性をとるためのものであるから、明りょうでない記載の釈明を目的とするものである。
(４)訂正事項ｆについて
　当該訂正は、特許時の請求項１を引用する請求項３、その請求項３を引用する請求項４、さらにその請求項４を引用する請求項６に基づくものであって、訂正した請求項６を、新たな請求項１とするものである。
　そこで、新請求項１について、特許時の（上位の請求項を引用する）請求項６との対比において、訂正の適否について検討する。
　1)「使用者を含む被写体」を「使用者」とする訂正は、「被写体」とは撮影される対象全てを含む概念であるため、本件発明に係る写真自販機を使用できないものまでが含まれている記載を、「写真自販機を使用する者」に特定するものであるから、特許請求の範囲の減縮を目的とするものであり、又、この点は、明細書の段落番号００４５等に記載されている事項であるから、当該訂正は、願書に添付した明細書又は図面に記載した事項の範囲内のものである。
　2)「第１ブースが設けられている第１筐体」を「第１ブースがその前面に設けられている第１筐体」とする訂正は、第１筐体と第１ブースとの位置関係を特定するものであるから、特許請求の範囲の減縮を目的とするものであり、又、この点は、明細書の段落番号００３９等に記載されている事項であるから、当該訂正は、願書に添付した明細書又は図面に記載した事項の範囲内のものである。
　3)「第２ブースが設けられている第２筐体」を「第２ブースがその前面に設けられている第２筐体」とする訂正は、第２筐体と第２ブースとの位置関係を特定するものであるから、特許請求の範囲の減縮を目的とするものであり、又、この点は、明細書の段落番号００４４等に記載されている事項であるから、当該訂正は、願書に添付した明細書又は図面に記載した事項の範囲内のものである。
　4)第２筐体が「第１筐体と隣接して設けられ」るという訂正は、第１筐体と第２筐体との設置場所について特定されていなかったものを、「隣接して設ける」ことを特定するものであるから、特許請求の範囲の減縮を目的とするものであり、又、この点は、明細書の段落番号００１８等に記載されている事項であるから、当該訂正は、願書に添付した明細書又は図面に記載した事項の範囲内のものである。
　5)「上記撮影手段で撮影された画像を表示する表示手段と、使用者が上記撮影画像に合成される第２画像を入力する第２画像入力手段」を「使用者が上記撮影手段で撮影された撮影画像に合成される手書き画像を入力する手書き画像入力手段と、上記撮影画像を表示して上記手書き画像の入力を受け付けて入力された手書き画像と撮影画像との合成画像を表示する表示手段」と訂正することは、「第２画像」を「手書き画像」に訂正することとの整合性をとるためのものであり、又、第２筐体が有している「第２画像入力手段」及び「表示手段」により入力或いは表示されるものが何であるかを詳細に特定するものであるから、明りょうでない記載の釈明及び特許請求の範囲の減縮を目的とするものであり、又、この点は、明細書の段落番号００４５〜００４８等に記載されている事項であるから、当該訂正は、願書に添付した明細書又は図面に記載した事項の範囲内のものである。
　6)写真自販機が「撮影手段による撮影回数をカウントするカウンタと上記手書き画像の入力可能時間を計測するタイマとを有する制御手段」を備え、さらに該制御手段が「上記第１筐体に対して、上記撮影手段による撮影回数が規定の撮影回数に達したときに撮影動作を終了させ、つぎの使用者による撮影動作を可能とさせるとともに、上記第２筐体に対して、あらかじめ設定された所定の入力可能時間に達したときに手書き画像の入力を停止させ、一定時間所定のメッセージ画面を上記表示手段に表示した後、上記第１筐体の撮影手段による撮影画像を上記第２筐体の表示手段に表示して上記使用者による手書き画像の入力を可能とさせるよう制御するもの」であるとする訂正は、訂正前の「第１筐体の撮影手段による撮影と、第２筐体の第２画像入力手段による第２画像の入力とを同時に行ない得る」なる記載では、その作用のみが記載され、どのようにしてそのような処理が可能であるのか明確でなかったものを、上記の処理を実行するための具体的手段（制御手段）を備えていること、及び、該制御手段がなす処理を具体的に記載することにより、明確にするものであるから、明りょうでない記載の釈明を目的とするものであり、又、この点は、明細書の段落番号００４２〜００５３等に記載されている事項であるから、当該訂正は、願書に添付した明細書又は図面に記載した事項の範囲内のものである。
(５)訂正事項ｇについて
　当該訂正は、新請求項１の訂正（上記訂正事項ｆ）に伴い、請求項の記載の重複部分を整理して、訂正事項ｆとの整合性をとるための訂正であるから、明りょうでない記載の釈明を目的とするものである。
(６)訂正事項ｈについて
　当該訂正は、漢字で記載すべきであった「のち」を「後」とするものであるから、誤記の訂正を目的とするものであり、又、「使用者による手書き画像」なる訂正は、上記訂正事項ｂ、ｆとの整合性をとるためのものであるから、明りょうでない記載の釈明を目的とするものである。
(７)訂正事項ｉ〜ｌについて
　これらの訂正は、特許請求の範囲の訂正に伴う、発明の詳細な説明の記載の整合性をとるための訂正であるから、明りょうでない記載の釈明を目的とするものであり、又、これらの点は、上記のとおり、明細書或いは図面に記載されている事項であるから、当該訂正は、願書に添付した明細書又は図面に記載した事項の範囲内のものである。
(８)さらに、上記訂正事項ａ〜ｌは、何れも、実質的に特許請求の範囲を拡張し、又は変更するものではない。
　
３．まとめ
　以上のとおりであるから、上記各訂正は、特許法第１２０条の４第２項ただし書き各号に規定する目的に適合し、同法第１２０条の４第３項において準用する同法第１２６条第２項及び第３項の規定に違反するものではないから、当該訂正を認める。
　
第４　特許異議の申立てについて
１．申立ての理由の概要
　(１)特許異議申立人　高倉博隆は、本件の請求項４乃至６に係る発明は、特許法第３６条第４項及び第６項の規定に違反するものであるから、請求項４乃至６に係る特許は、特許法第１１３条第１項第４号の規定により取り消されるべきであると主張するとともに、甲第１乃至８号証を提出し、本件の請求項１乃至８に係る発明は、甲第１乃至７号証に記載された発明に基づいて、当業者が容易になし得た発明であるから、特許法第２９条第２項の規定により特許を受けることができず、請求項１乃至８に係る特許は、特許法第１１３条第１項第２号の規定により取り消されるべきものであると、又、請求項１及び５に係る発明は、甲第８号証の明細書又は図面に記載された発明と同一であるから、特許法第２９条の２の規定により特許を受けることができず、請求項１及び５に係る特許は、特許法第１１３条第１項第２号の規定により取り消されるべきものである、と主張する。　
　(２)同じく異議申立人　東川泰之は、甲第１乃至１０号証を提出し、本件の請求項１に係る発明は、甲第１号証或いは甲第２号証に記載された発明であり、又、請求項２乃至６に係る発明は、甲第１号証に記載された発明であるから、特許法第２９条第１項第３号の規定により特許を受けることができず、さらに、請求項１乃至８に係る発明は甲第１乃至９号証に記載された発明に基づいて当業者が容易になし得た発明であるから、特許法第２９条第２項の規定により特許を受けることができず、又、請求項１に係る発明は甲第１０号証に係る考案と同日に出願された実質的に同一の発明であるから、特許法第３９条の規定に違反し、特許を受けることができないものであって、本件の請求項１乃至８に係る特許は、特許法第１１３条第１項の規定により取り消されるべきである、と主張する。　
　(３)同じく異議申立人　後藤裕美は、甲第１乃至３号証を提出し、本件請求項１、３、５に係る発明は、甲第１号証或いは甲第２号証に記載された発明であるから、特許法第２９条第１項第３号の規定により特許を受けることができず、請求項１、３、５に係る特許は、特許法第１１３条第１項第２号の規定により取り消されるべきものであると、又、本件請求項１乃至８に係る発明は、甲第１号証及び甲第２号証に記載された発明に基づいて、当業者が容易になし得た発明であるから、特許法第２９条第２項の規定により特許を受けることができず、本件の請求項１乃至８に係る特許は、特許法第１１３条第１項第２号の規定により取り消されるべきものである、と主張する
　(４)同じく異議申立人　重冨與八郎は、甲第１号証及び甲第２号証を提出し、本件の請求項１乃至５に係る発明は、甲第１号証及び甲第２号証に記載された発明に基づいて、当業者が容易になし得た発明であるから、特許法第２９条第２項の規定により特許を受けることができず、本件の請求項１乃至５に係る特許は、特許法第１１３条第１項第２号の規定により取り消されるべきものである、と主張する。
　(５)同じく異議申立人　北村清隆は、甲第１乃至４号証、及び、参考文献１、２を提出し、本件請求項１乃至８に係る発明は、甲第１乃至４号証に記載された発明に基づいて、当業者が容易になし得た発明であるから、特許法第２９条第２項の規定により特許を受けることができず、本件の請求項１乃至８に係る特許は、特許法第１１３条第１項第２号の規定により取り消されるべきものであると、又、明細書の記載について、請求項３乃至項５に係る発明は、特許法第３６条第４項又は第６項の要件を満たしておらず、請求項３乃至５に係る特許は、特許法第１１３条第１項第４号の規定により取り消されるべきものである、と主張する。さらに、異議申立人　北村清隆は、上申書を提出し、参考文献３等を提示している。
　
２．特許異議申立人の提出した証拠方法
(１)異議申立人　高倉博隆が提出したもの
　1)甲第１号証：特開２０００−２２９１８１号公報
　2)甲第２号証：特開平１１−２３４６０２号公報
　3)甲第３号証：特許第３０２１６３８号公報
　4)甲第４号証：特開２０００−３２４４３１号公報
　5)甲第５号証：特開２０００−６９４０４号公報
　6)甲第６号証：特開平１０−２７４８０５号公報
　7)甲第７号証：特開２０００−３３０１８９号公報
　8)甲第８号証：特開２００１−３１３８５６号公報
(２)異議申立人　東川泰之が提出したもの
　1)甲第１号証：特開２０００−２２９１８１号公報
　2)甲第２号証：特開平１１−２３４６０２号公報
　3)甲第３号証：特許第３０５３８５７号公報
　4)甲第４号証：特開平１１−８４５２２号公報
　5)甲第５号証：特開平１１−１１０６３６号公報
　6)甲第６号証：特開２０００−２０６５９４号公報
　7)甲第７号証：特開平７−１０７４２４号公報
　8)甲第８号証：実用新案登録第３０５６３５８号公報
　9)甲第９号証：特開平７−２０３２７２号公報
　10)甲第１０号証：実用新案登録第３０９２３５４号公報
(３)異議申立人　後藤裕美が提出したもの
　1)甲第１号証：特表平７−５０３５８５号公報
　2)甲第２号証：特表平４−５０６２６４号公報
　3)甲第３号証：特表平５−５０５４７３号公報
(４)異議申立人　重冨與八郎が提出したもの
　1)甲第１号証：特開２０００−２２９１８１号公報
　2)甲第２号証：特開平１０−１０８１１２号公報
(５)異議申立人　北村清隆が提出したもの
　1)甲第１号証：特開２０００−２２９１８１号公報
　2)甲第２号証：特許第３０２１６３８号公報
　3)甲第３号証：特開２０００−６９４０４号公報
　4)甲第４号証：特許第２８４８７９７号公報
　5)参考文献１：特開平１１−３４４７６３号公報
　6)参考文献２：特開２０００−３２４４３１号公報
　7)参考文献３：コインジャーナル　１０月号（２０００年１０月）
　　　　　　　「Style COLLECTION」の頁（平成１２年９月３０日発行）
　　　なお、平成１６年１２月２０日付けで提出された、追加公知刊行物は　　甲第３号証と同じ文献である。
　
　上記各異議申立人が提出した甲各号証は、重複するもの、公開公報と特許公報とで重複するもの、分割出願による親出願の公報との重複（実質的に同一内容）があるため、以下、これらを次のような甲各号証として整理する。
(１)本件特許の出願前公知の文献
　1)甲第１号証：特開２０００−２２９１８１号公報
　2)甲第２号証：特表平７−５０３５８５号公報
　3)甲第３号証：特許第３０２１６３８号公報
　4)甲第４号証：特表平５−５０５４７３号公報
　5)甲第５号証：特開平１１−２３４６０２号公報
　6)甲第６号証：特開２０００−６９４０４号公報
　7)甲第７号証：特開２０００−３２４４３１号公報
　8)甲第８号証：特開平１０−２７４８０５号公報
　9)甲第９号証：特開２０００−３３０１８９号公報
　10)甲第１０号証：特許第３０５３８５７号公報
　11)甲第１１号証：特開平１１−１１０６３６号公報
　12)甲第１２号証：特開２０００−２０６５９４号公報
　13)甲第１３号証：特開平７−１０７４２４号公報
　14)甲第１４号証：実用新案登録第３０５６３５８号公報
　15)甲第１５号証：特開平７−２０３２７２号公報
　16)甲第１６号証：特開平１０−１０８１１２号公報
　17)甲第１７号証：特許第２８４８７９７号公報
　18)参考文献１：特開平１１−３４４７６３号公報
　19)参考文献２：コインジャーナル　１０月号（２０００年１０月）
　　　　　　　「Style COLLECTION」の頁（平成１２年９月３０日発行）
(２)本件特許の出願後に公知となった文献
　20)甲第１８号証：特開２００１−３１３８５６号公報
　21)甲第１９号証：実用新案登録第３０９２３５４号公報
　
３．本件発明
　上記第３に記載したとおり、本件特許について訂正が認められたので、特許第３４０１５２４号の請求項１乃至５に係る発明は、訂正明細書及び図面の記載からみて、訂正明細書の特許請求の範囲の請求項１乃至５に記載された次のとおりのものである（以下、「本件発明１〜５」という。）。
　【請求項１】
　使用者を撮影してその写真を販売する写真自販機であって、
　略独立した空間を形成して使用者が撮影を行なう第１ブースがその前面に設けられるとともに、上記使用者を撮影する撮影手段を有する第１筐体と、
　上記第１筐体と隣接して設けられ、略独立した空間を形成して上記第１ブースでの撮影が終了した使用者が手書き画像の入力操作を行なう第２ブースがその前面に設けられるとともに、使用者が上記撮影手段で撮影された撮影画像に合成される手書き画像を入力する手書き画像入力手段と、上記撮影画像を表示して上記手書き画像の入力を受け付けて入力された手書き画像と撮影画像との合成画像を表示する表示手段と、を有する第２筐体と、
　上記合成画像を印刷媒体に印刷して写真プリントとして出力する写真出力手段と、
　上記撮影手段による撮影回数をカウントするカウンタと上記手書き画像の入力可能時間を計測するタイマとを有する制御手段と、を備え、
　上記制御手段は、上記第１筐体に対して、上記撮影手段による撮影回数が規定の撮影回数に達したときに撮影動作を終了させ、つぎの使用者による撮影動作を可能とさせるとともに、上記第２筐体に対して、あらかじめ設定された所定の入力可能時間に達したときに手書き画像の入力を停止させ、一定時間所定のメッセージ画面を上記表示手段に表示した後、上記第１筐体の撮影手段による撮影画像を上記第２筐体の表示手段に表示して上記使用者による手書き画像の入力を可能とさせるよう制御するものであり、異なる使用者が、上記第１筐体の撮影手段による撮影と、第２筐体の手書き画像入力手段による手書き画像の入力とを同時に行ない得るよう構成されていることを特徴とする写真自販機。
　【請求項２】
　上記第２筐体の手書き画像の入力操作を行なう使用者と面する部分以外の部分に写真プリントの送出口が設けられている請求項１記載の写真自販機。
　【請求項３】
　上記第１筐体と第２筐体とが一体的に形成されている請求項１または２記載の自販機。
　【請求項４】
　上記所定のメッセージ画面が、使用者に待機する場所を示す待機メッセージ画面である請求項１または２記載の自販機。
　【請求項５】
　一定時間待機メッセージ画面を表示した後、印刷の終了を待たずにつぎの使用者による手書き画像の入力を待機する状態となる請求項４記載の写真自販機。
　
４．甲各号証に記載された事項
(１)甲第１号証（特開２０００−２２９１８１号公報）には、次の事項が図面と共に記載されている。
　Ａ．「本判明は、テーマパーク等に設置される遊戯施設に関する。」（段落番号０００１）
　Ｂ．「上記のような従来のプリント装置を遊戯施設の適所に設置しておいて遊戯者にプリント物を払い出すことも考えられるが、その場合には、遊戯者が必ずプリント物排出部の前に立って撮影を行わなければならず、そのような作業が遊戯の流れの邪魔になることが考えられ、さらに、遊戯施設の中に撮影場所や撮影機器を設置することがコスト低減及び省スペース化の妨げになることも考えられる。」（段落番号０００９）
　Ｃ．「これに対し本発明の遊戯施設では、プリント物の払出し機構を遊戯施設の中に組み込む場合でも、撮影場所とプリント物の排出場所とをそれぞれ適宜の場所に選定することにより、遊戯の流れを邪魔することなく、しかも遊戯施設のコスト低減及び省スペース化を達成できる。」（段落番号００１０）
　Ｄ．「受付装置４は、図５に示すように、ＣＰＵ３６、メモリ３７及び入出力インターフェース３８を含んで構成される制御回路３９を有する。この制御回路３９は、撮影手段としてのＣＣＤ(Charge Coupled Device）カメラ４１、同意確認用のスイッチを含む入力装置４２、読書き装置４３、そして赤外線受発光装置４４の各機器の動作を制御する。また、受付装置４の適所には、赤外線受発光装置４４に対して信号を授受できる位置に携帯ユニット２を置くための支持台４６が配設される。」（段落番号００２２）
　Ｅ．「図１の遊戯側制御装置６３に含まれる遊戯側メモリ６１には、遊戯内容を演算するためのメインプログラムが格納されるメインメモリ領域及び遊戯内容の演算によって得られる遊戯結果が当該遊戯者のＩＤ（Identification）に対応して記憶される遊戯結果記憶領域の各領域が含まれる。ここで用いられるＩＤは、個々の携帯ユニット２を識別するためにそれらの携帯ユニット２に割り振られるパスワードとする。遊戯側ＣＰＵ６０は、メモリ６１内に記憶された遊戯結果に基づいて遊戯内容の演算を開始することができる。」（段落番号００２４）
　Ｆ．「以上のように本実施形態に係る遊戯施設によれば、遊戯者Ｐに関する像である顔写真データを撮影手段であるＣＣＤカメラ４１によって予め受付ステージ３ａで撮影してそれを遊戯側メモリ６１に記憶しておき、遊戯の最中である出口ステージ７７において遊戯者本人に対応する顔データを選択的に読み出してプリント物である結果用紙７９上にプリントしている。この結果、遊戯者Ｐは遊戯結果以外に遊戯者本人に関する像をプリント物として得ることができるので、遊戯の楽しさをさらに一層増大させることができる。」（段落番号００８７）
　Ｇ．「すなわち、遊戯者移動領域１内に居る遊戯者Ｐがフォトシールを欲しいと思ったときには、レストラン景３ｅ又は病院景３ｇの所まで行ってプリント出力装置９０ｅ又は９０ｇのコイン投入口９７（図１０）にコインを入れる。また、テンキー入力装置９６を操作してＩＤパスワードを入力する。また、選択・キャンセルボタン９３を操作して液晶ディスプレイ９２に複数種類、例えば９種類の異なった絵柄を順次に表示し、さらに決定ボタン９４を操作することによりその中から希望の１つを決定する。図では４個のハートの模様の絵柄１１２が表示されると共に、ＩＤパスワードに対応して取り出された遊戯者個人の顔写真１１３及び現時点での遊戯結果である鳥キャラクタの像１１４が合成された写真が表示される。」（段落番号００９２）
　Ｈ．「この構成によれば、出ロステージ７７に設けたプリント出力装置９０ｈの場合と同様にして、遊戯者Ｐは出口ステージ７７で受け取る遊戯結果以外に顔写真、すなわち遊戯者本人に関する像をプリント物として得ることができるので、遊戯の楽しさをさらに一層増大させることができる。また、撮影場所とプリント物の排出場所とを遊戯の流れに沿ったそれぞれに最適な場所に分割して設置できるので、遊戯の流れを邪魔することなく遊戯施設の中でプリント物をプリントできる。さらに、遊戯者移動領域１の中に撮影場所や撮影機器を設置する必要がないので、遊戯施設のコスト低減及び省スペース化を達成できる。」（段落番号００９５）
　Ｉ．「例えば、図１の実施形態では遊戯者に関する像である顔写真を含むプリント物を排出するプリント物排出部９９を３ヶ所のプリント出力装置９０ｅ、９０ｇ、９０ｈに設けたが、本発明は遊戯者移動領域１内の１ヶ所にプリント物排出部９９が設けられる場合も含むものである。またさらに、プリント物排出部を遊戯者移動領域１から離れた場所に設置する場合も本発明に含まれるものである。」（段落番号００９７）
　Ｊ．「本発明に係る遊戯施設によれば、遊戯者は遊戯結果以外に顔写真等といった遊戯者本人に関する像をプリント物として得ることができるので、遊戯の楽しさをさらに一層増大させることができる。また遊戯者に関する像の撮影場所とプリント物の排出場所とを遊戯の流れに沿ったそれぞれに最適な場所に分割して設置できるので、遊戯の流れを邪魔することなく遊戯施設の中でプリント物をプリントできる。さらに、プリント物の排出場所に撮影スペースを準備する必要が無く、しかも撮影機器を設置する必要もないので、遊戯施設の設計自由度が大きくなる。」（段落番号００９９）
　
(２)甲第２号証（特表平７−５０３５８５号公報）には、次の事項が図面と共に記載されている。
　Ｋ．「通常は硬貨で作動させる方式で、ユーザがブース内で従来の写真カメラを用いてセルフポートレートを撮影する装置であって、カメラが１つまたはそれ以上のポーズをたくさん撮影し、結果として露光したフィルムを従来の湿式技術で処理されるような装置も長い間知られている。」（公報３頁右下欄４〜８行）
　Ｌ．「本発明の目的は、操作においてこれまでの先行技術の提案において可能であったものより、ユーザによるはるかに高い割合のコントロールを可能とするビデオ写真装置を含む改良されたセルフポートレート撮影装置を提供することにある。
　本発明のさらなる目的は、統合されたビデオ写真装置と湿式プリント処理を用いたセルフフォトグラフィー装置とを合わせた改良されたセルフポートレート撮影装置を提供することにある。」（同３頁右下欄１４〜２２行）
　Ｍ．「発明の第１の態様によると、ユーザを撮影するビデオカメラと、背景としてモニタスクリーン上にユ−ザのリアルタイム画像を再生するための第１モニタと、装置の操作をコントロールするためのコンピュータと、あらかじめ選択されたコンピュータデジタル化された画像を格納するメモリと、コマ止めされたリアルタイム画像を格納する手段と、第１モニタに表示するため、メモリとリアルタイム画像及び／又はコマ止めされたリアルタイム画像とのインタフェースを行うインタフェース手段と、コマ止めされたリアルタイム画像を作り出す手段と、コンピュータデジタル化された画像を選択する手段と、ユーザが作り出したコマ止めされたリアルタイム画像を背景とし、メモリからの少なくとも１つのユーザが選択したコンピュータテジタル化された画像を前景として合成画像を表示する第２モニタと、ビデオ写真装置から構成されるセルフポートレート撮影装置が提供される。」（同３頁右下欄２３行〜４頁左上欄１５行）
　Ｎ．「本発明の第２の態様による、ユーザを撮影するビデオカメラと、背景としてユ−ザのリアルタイム画像をモニタスクリーン上に再生するためのモニタスクリーンと、ビテオ写真装置の操作をコントロールするためのコンピュータと、あらかじめ選択されたコンピュータデジタル化された画像を格納するメモリと、コマ止めされたリアルタイム画像を格納する手段と、メモリとモニタスクリーン上に表示するためのリタルタイム画像及び／又はコマ止めされたリアルタイム画像とのインタフェースを行うインタフェース手段と、コマ止めされたリアルタイム画像を作り出す手段と、コンピュータデジタル化された画像を選択する手段と、ユーザが作り出したコマ止めされたリアルタイム画像を背景とし、メモリからの少なくとも１つのユーザが選択したコンピュータテジタル化された画像を前景として合成画像を表示するモニタと、ユーザからのコマンドによって前記合成画像をプリントする第１プリンタと、更に、ユーザのセルフポートレートを撮影するため、前記ビデオカメラを利用するためのセルフフォトグラフィー装置と、湿式写真プロセスを使用する第１プリンタと、所望のセルフポートレートを作り出すために前記ビデオ写真装置またはセルフフォトグラフィー装置を選択する選択手段とを備えるセルフポートレート撮影装置が提供される。
　第２の態様におけるビデオ写真装置では、第２モニタスクリーンが第１スクリーンによって再生された画像を複製するために提供されても良く、ただ１つのモニタスクリーンだけが提供されるという点を除いては本質的に第１のものと同じでよい。」（同４頁左下欄２１行〜右下欄２１行）
　Ｏ．「図３、図４、図５に、本発明の第２の態様によるセルフポートレート撮影装置２０が示されており、入口３２、その先にフォトグフフィックゾーン３４があり、ブース内の適切な高さにあるビデオ力メラ３８（図４と図５）（図３には示されていない）の前に腰かけるための腰かけ３６があり、１つのブース３０内に収められているセルフフォトグフフィ措置２２と統合されたビテオ写真装置２１とを含んでいる。選択手段（ここには示されていない）が、カメラは共通だが、統合装置のいずれの装置をユーザが使いたいかを選択するために、ブース内に提供されている。　　　　　　　　
　ビテオ写真装置２１には、ブース３０内に１つのモニタスクリーン４０が提供されており、さらなるモニタ４２は、図に示すように、モニタスクリーン４０に提示された画像を写すためにブース３０の外部に提供されているという点を除いては、図１に関連して述べたものと本質的に同一である。モニタスクリーン４２は、ブース３０の側面に据えつけられたケーシング４４に位置し、ケーシングはまた、コンピュータ４６、キーボード４８、ビデオ写真装置２１でつくり出された画像をプリントするプリンタ（ここには示されていない）とを含んでいる。」（同５頁右下欄２〜２１行）
　Ｐ．「もし、ユーザが従来のセルフフォトグラフィを撮影したいと思うならば、選択手段を適切に操作し、ビデオカメラの前でポーズをとることによりビデオカメラは写真を撮影し、装置２２の従来の湿式写真処理により現像し、結果の写真を５２から排出する。
　本発明の第２実施例はセルフポートレート撮影装置が２つの機能をもつことを可能にするものであり、１つは図２において述べたような“面白い”写真をユーザに提供することであり、他は同じもしくは異なったポーズでユーザの画像を提供することである。」（同６頁左上欄５〜１４行）
　
(３)甲第３号証（特許第３０２１６３８号公報）には、次の事項が図面と共に記載されている。
　Ｑ．「添付図面を参照して、床面上に直立するブースの形態における装置は、直立するボックス構造体１、直立背部壁２を有し、このボックス構造体１の壁４と上記背部壁２との間に写真撮影帯域３が形成され、上記構造体はさらにこれと背面壁２の頂部を結合する屋根５、および背部壁２の側縁とボックス構造体１の１側面を結合する側壁６を有する。この側壁により写真撮影帯域３の一方側面が閉鎖される。この写真撮影帯域の他方側面は図示のとおり完全に開放されていてもよく、あるいはこの幅に相当する幅を有するドアないしカーテンにより開放可能に閉鎖されていてもよい。」（公報８欄３７〜４７行）
　Ｒ．「写真撮影帯域３に近接してボックス構造体１の側壁１５には、情報および／あるいは広告を掲載している大きなパネル１６が設けられ、その下方には排出口１７が在る。なお第２のＶＤＵスクリーン１８がパネル１６上方の窓１９を経て認められ得る。なおオーディオ装置のラウドスピー力が便宜の位置に装着される。」（同９欄２６〜３１行）
　Ｓ．「外部ＶＤＵス（決定注：スクリーンの誤記である。）１８は同じアイドルモード情報を表示してもよいし、あるいはこれと異なる情報を表示してもよい。」（同１０欄１４〜１６行）
　Ｔ．「最終的な画像が使用者に容認されると、その意思により追加的なプリントを得るためさらに必要な硬貨を投入する機会が与えられる。次いでＶＤＵスクリーン１２の指示により使用者はブースを離れ、その外でプリントを受取るように要請される。プリンター２４、２５の一方が作動され、指示されたカラープリントが作成され、ブース外壁の排出口１７から使用者に交付される。この短い待機時間中に他の使用者がブースに入り、撮影装置を使用することができる。」（同１０欄４４行〜１１欄２行）
　
(４)甲第４号証（特表平５−５０５４７３号公報）には、次の事項が図面と共に記載されている。
　Ｕ．「制御系は、またボックス構造体の前方壁２０に設けられた手動制御手段３１、…(略)…、写真撮影帯域１６内の開放側に近いボックス構造体１１の側壁２１上でブース外側から見ることができるＶＤＵ３４、ＶＤＵ下方の手で操作し得る制御手段３５、ＶＤＵ近傍ディテクタ３６と接続されている。」（公報５頁右上欄１〜２０行）
　Ｖ．「外部モニター３４は内部モニター２５と同じ画面を示し、プラットフォーム２２の高さ制限及び／あるいは背景の選定及び／あるいは撮影画面の焼付けのような処理を、制御手段３１ではなく、外部制御手段３５を使用して、利用者ではなく、例えば同伴者が行い得る。これは、殊に利用者、即ち被撮影者が幼児の場合に役立つ。」（同６頁左上欄４〜１０行）
　
(５)甲第５号証（特開平１１−２３４６０２号公報）には、次の事項が図面と共に記載されている。
　Ｗ．「図５（決定注：図６の誤り）に示す映像プリント遊戯装置３００は、１つの筐体内に２台分の装置をまとめたもので、第１ユニット３００Ａと第２ユニット３００Ｂを通信ケーブル１０で接続している。各ユニット３０ＯＡ及び３００Ｂの構成と動作は前記実施形態における映像プリント遊戯装置１００Ａ及び１０ＯＢと同様であり、両ユニット間での通信の態様も同様であるので、これ以上の説明を省略する。」（段落番号００３１）
　Ｘ．「図６は、その実施携帯の内部を投資した斜面図であり、…(略)…。これらの図に示す映像プリント遊戯装置４００は、２台分の装置機能を有しながら、共通化できる部分を共通化して装置コストを抑えたものである。」（段落番号００３３）
　
(６)甲第６号証（特開２０００−６９４０４号公報）には、次の事項が図面と共に記載されている。
　Ｙ．「本発明は、利用者の撮影画像をシール台紙などのプリント台紙に印刷して出力する画像プリント作成装置に関し、特に撮影した利用者の写真画像上に好みの化粧を施してプリントすることができる画像プリント作成装置に関する。」（段落番号委０００１）
　Ｚ．「利用者は液晶ディスプレイ６２上に表示された撮影画像を参照しながら、タッチペン１１を用いてその上に化粧処理、お絵かき処理などを行う。」（段落番号００３４第９〜１１行）
　
　そして、甲第７号証には「軽量化のために複数個のユニットに分割し、運搬・設置を簡単にした合成画像作成装置」が、甲第８号証には「遊戯者所望の映像のシールプリントを出力する機能を持つと共に、インターネットのホームページを作成する機能と作成されたホームページをプリント出力する機能を持つ、映像プリント遊戯装置」が、甲第９号証には「プリント推断を用いて、装置内に蓄積された情報と、該情報を出力する人物のかお写真とを同一紙面に印字出力する証明写真装置」が、甲第１０号証には「身分証明書等、写真入りカードを作成するため、申請書上の画像を読み取って所定の処理を行う画像読取り装置」が、甲第１１号証には「小型化し、コインにより作動する卓上型シール作成機」が、甲第１２号証には「被写体の顔をきれいな肌色に再現した写真をローコストで作成する写真作成装置」が、甲第１３号証には「撮影時間の感覚を短縮し、極力使用者を待たせることなく被写体の撮影画像を記録しに記録する写真撮影装置」が、甲第１４号証には「モニターに映し出された利用者の画像を該利用者が希望する、予め設定されたサイズに拡大して印刷する撮像拡大プリント装置に」が、甲第１５号証には「自動的に撮像手段の位置決めが行え、人物像が撮影できる人物像自動撮影装置」が、甲第１６号証には「図形や文字情報を任意に書き込み、映像データ出力後にはアミューズ機器として使用できる映像データ印刷装置」が、甲第１７号証には「金融取引のための取引カード発行の際に締結される契約に使用される書式書面を作成する書面作成装置」が、参考文献１には「撮影者が一時的に印刷物作成装置から離れることが可能であり、印刷物の作成が完成する前に、次の撮影者が走査装置でそうさができる印刷物作成装置」が、それぞれ記載されており、又、参考文献２には「９ショット撮影、３枚選んで３枚らくがき、落書き時間もたっぷり用意」なる記載が認められる。
　さらに、本件特許の出願後に公開された、甲第１８号証には「装置本体を、カメラユニット、モニターユニットプリンターユニット等に分割し、設置場所に応じて適宜組み立て可能な映像プリント装置」が、又、甲第１９号証の特許請求の範囲の請求項１には、概略「撮影手段による撮影が行われる第１ブースと、第２画像入力手段による第２画像の入力が行われる第２ブースと、写真出力手段による写真プリントの出力が行われる第３ブースとが設けられている写真自販機」が記載されている。
　
５．対比・判断
　特許異議申立人は、特許法第３６条第４項及び第６項、同法第２９条第２項、同法第２９条第１項第３号、同法第２９条の２、同法第３９条に関する特許異議の申立てを行っているので、以下、それぞれについて検討する。
　
(１)特許法第３６条第４項及び第６項に関する特許異議の申立てについて
　1)異議申立人高倉博隆の主張する同法第３６条第４項の点について
　　イ．当該主張は、請求項６（訂正後の請求項１）に係る発明に対して「撮影手段による撮影と第２画像入力手段による第２画像の入力とを同時に行う場合、固定画像記憶部への画像の記憶および読み出しがどのように管理されているかが、明確かつ十分に記載されていない。」と第３６条第４項に関する主張がなされているため、発明の詳細な説明の記載（特許法第３６条第４項第１号）の不備を主張しているか、特許請求の範囲の記載（同法第３６条第６項第２号）の不備を主張しているのか明確ではないが、何れにしても、撮影画像の記憶と記憶された画像の読み出しとの管理についての記載に関するものであるから、この点に関して、第４項及び第６項の両方について検討する。
　発明の詳細な説明の「上記第２筐体１ｂの内部には、上記カメラ６から画像データを受信して画像の固定や画像合成等の処理を行うコンピュータ装置７が設けられている。また、上記第２筐体１ｂの前面には、所定のシャツタタイミングで固定された撮影画像等を表示する第２ディスプレイ８ｂが設けられている。」（段落番号００２３）、「ステップ２２０において、規定の撮影可能回数に達していれば、第１ディスプレイ８ａに「撮影は終了です。隣のブースでお絵かきをしてください」というメッセージが表示され、第１筐体１ａでの撮影動作は終了する。」（段落番号００４３）、「つぎに、使用者２は、第１筐体１ａ前の第１ブース１４ａから第２筐体１ｂ前の第２ブース１４ｂに移動してタッチペン１２を操作することによる手書き画像等の入力を開始する（Ｓ２４０）。」（段落番号００４４）、「上記待機メッセージ画面は、例えば、図７に示すように、印刷された写真プリントが送出口１９から送出される場所（この例では第２筐体１ｂの左側面）を示す矢印２９と、「プリントしています。こちらがわに出てまっててね！」というメッセージとが表示されている。そして、一定時間待機メッセージ画面を表示したのち、第２ディスプレイ８ｂにはデモ画面が表示され、印刷の終了を待たずにつぎの使用者の手書き画像の入力を待機する状態となる。」（段落番号００５３）、及び、図３、４等の記載によれば、本件発明の「写真自販機」は、次のように処理が行われるものである。即ち、
　本件発明の「写真自販機」の「制御手段」は、第１筐体での撮影が所定回数に達すると、第１ディスプレイに「撮影は終了です。隣のブースでお絵かきをしてください」とのメッセージを表示するものである。その表示により、第１筐体の第１ブースにいる使用者は、隣接する第２筐体の第２ブースに移動し、第１ブースは空き状態になるから、次の使用者が使用（撮影）可能な状態になることは明らかである。
　次に、第１ブースで撮影を終えた使用者が移動する第２ブースにおいて、第２ブースが空き状態のときと、使用状態のときとで、どのような処理が行われるかを検討すると、ブースが「空き状態」のときは、上記段落番号００５３に「一定時間待機メッセージ画面を表示したのち、第２ディスプレイ８ｂにはデモ画面が表示され、印刷の終了を待たずにつぎの使用者の手書き画像の入力を待機する状態となる」と記載されるように、第２ディスプレイにはデモ画面が表示され、いつでも、第１ブースで撮影された画像を表示可能な状態になっているから、上記段落番号００２３に記載されるように、（第２筐体１ｂの内部に設けられた）「上記カメラ６から画像データを受信して画像の固定や画像合成等の処理を行うコンピュータ装置７」（の「制御手段」）は、第１ブースでの撮影が終了すると、その撮影画像を第２ディスプレイに表示するものと解される。
　他方、第２ブースが「使用状態」のとき、お絵かきが行われる、所定の入力可能時間の間は、撮影画像を第２ディスプレイに表示することができないから、お絵かきが終了するまで、制御手段が撮影画像の表示を待機することは技術常識からみて明らかであり、お絵かきが終了すれば、第２ブースは「空き状態」となるから、上記した「空き状態」と同じ処理になることは言うまでもない。
　以上のとおりであるから、発明の詳細な記載には、「(撮影)画像の記憶および読み出しの管理」について、本件発明が実施できる程度に記載されていると認められる。
　又、請求項１の記載についてみるに、請求項１には、「写真自販機」が、「カウンタ」及び「タイマ」を有する「制御手段」を備えていること、かつ、その「制御手段」が、第１筐体の撮影手段、第２筐体の手書き画像入力手段に対して行う処理が明確に記載されており、「(撮影)画像の記憶および読み出しの管理」は明確であるから、請求項１に係る発明は明確である。
　したがって、異議申立人の請求項６（新請求項１）に対する主張は理由がない。
　2)同申立人の主張する同法第３６条第６項の点について
　　ロ．請求項４に係る発明に関して、該請求項は訂正により削除されたため、明確でないと主張する発明がないものとなったから、該請求項に対する特許法第３６条第６項に関する特許異議の申立ては理由がない。
　　ハ．請求項５（訂正後の請求項３）に関して、該請求項に係る発明の「一体的」なる記載は、上位請求項においては、別々の装置として構成されている、第１筐体と第２筐体とを、（結合等により）１つの装置（写真自販機）として構成することを表現しており、「一体的」の意味は明確であるから、異議申立人の主張は理由がない。
　3)異議申立人北村清隆の主張する同法第３６条第４項の点について
　　ニ．請求項３及び４は訂正により削除され、又、「ブース」に関して、訂正後の請求項１に記載される事項となった「第１ブースが第１筐体の前面に設けられている」点、及び、「第２ブースが第２筐体の前面に設けられている」点による作用効果は、段落番号００１２等に記載されているから、異議申立人の主張は理由がない。
　4)同申立人の主張する同法第３６条第６項の点について
　　ホ．請求項３及び４は訂正により削除されたため、該請求項に係る発明が、発明の詳細な説明に記載されていないという理由は根拠のないものとなり、又、「第1ブース」及び「第２ブース」に関して、訂正後の請求項１に記載された発明は、発明の詳細な説明に記載された発明であって、かつ、明確な記載であるから、該請求項に対する同法第３６条第６項第１号、第２号に関する特許異議の申立ては理由がない。
　　ヘ、請求項５（訂正後の請求項３）に係る発明に関して、請求項３及び４が訂正により削除されたため、異議申立人が「無効理由を内包する」と主張する請求項を引用しないものとなったから、異議申立人の主張は理由がない。
　
(２)特許法第２９条第２項に関する特許異議の申立てについて
　1)本件発明１について
　本願明細書の記載によれば、本件発明１は「（従来の）写真自販機では、撮影用ブース内で撮影を行なったのち、手書き画像の入力も行なわれる。しかも、プリンタ９から排出される写真プリントも撮影用ブース内に向かって送出される。このため、一旦使用者２が撮影用ブースに入ると、撮影を行なって手書き画像を入力し、印刷が終了するまで撮影用ブースを占領することになる。…(略)…、顧客は不必要に待たされてイライラ感を抱き、店舗にとっては顧客の回転が悪くなるという問題があった。」（段落番号０００７）という課題を解決するために、撮影を行う場所と手書き画像を入力する場所とを別にすることを基本的な技術思想とするものであり、該思想と具現化するために、「独立した空間を形成して使用者が撮影を行なう第１ブースがその前面に設けられるとともに、上記使用者を撮影する撮影手段を有する第１筐体」と「略独立した空間を形成して上記第１ブースでの撮影が終了した使用者が手書き画像の入力操作を行なう第２ブースがその前面に設けられる第２筐体」とを備えていること、及び、写真自販機の使用者が、第１筐体から第２筐体にスムースに移動できるように「第２筐体が第１筐体と隣接して設けられている」ことを、発明を特定する事項とするものである。
　
　上記２点に着目して、甲各号証を検討する。
　　イ．甲第１号証について
　　　上記第４　４．に列記したＣ、Ｆ、Ｇ及び甲第１号証の図１１の記載等からみて、甲第１号証に記載された、撮影手段は遊戯施設の受付（入り口）に、出力装置（プリント装置）は遊戯施設内の適宜の場所（図１１によれば、この適宜の場所と受付とは、遊戯ができる空間を隔てていることは明らかである。）或いは出口に、別の装置として設置されているものであり、又、甲第１号証の他の記載も参酌すると、甲第１号証には、次のような発明が記載されていると認められる。
　「遊戯の流れを邪魔することがないように、撮影場所とプリント物の排出場所とを遊戯空間を隔てて設けている遊戯施設であって、
　遊戯者を撮影する撮影手段を有する受付装置と、
　該撮影手段で撮影した遊戯者の顔写真をＩＤパスワードに対応させて記憶する遊戯側メモリと
　ＩＤパスワードの入力により上記遊戯側メモリから読み出された遊戯者個人の顔写真と遊戯結果である鳥キャラクタの像とが合成された写真を表示する液晶ディスプレイと、複数の異なった絵柄から希望の絵柄を決定する決定手段とを有し、遊戯者個人の顔写真と鳥キャラクタの像とが合成された写真に希望の絵柄が合成されたプリント物を出力するプリント出力装置と、
　を備えた遊戯施設。」
　上記プリント物の排出場所では、液晶ディスプレイに、遊戯者個人の顔写真と遊戯結果である鳥キャラクタの像とが合成された写真を表示し、この写真に希望の絵柄を合成しているから、該プリント物の排出場所に設置される「プリント出力装置」は、本件発明の「第２筐体」に相当するものと認められ、又、甲第１号証に記載された発明の「受付装置」は、顔写真の撮影を行っているから、本件発明１の「第１筐体」に相当すると認められる。
　しかしながら、甲第１号証に記載された発明において、受付装置とプリント出力装置とを別の装置としたのは、施設内での遊戯の流れを邪魔しないようにするためであり、又、遊戯者の顔写真と合成される鳥キャラクタの像は、遊戯を行わなくては入手できないためであると認められるから、本件発明１が、第１筐体と第２筐体とを別の装置としたこととは、明らかにその課題（目的）が相違する。
　さらに、甲第１号証に記載の「受付装置」と「プリント出力装置」との位置関係についても検討すると、
　甲第１号証に記載の「受付装置」と「プリント出力装置」とは、図１１等の記載から明らかなように、遊戯施設の入り口と、出口或いは入り口から遊戯空間を隔てて施設内の適宜の場所に設けられている。遊戯者は、入り口に設けられた「受付装置」において、顔写真の撮影を行ってから入場し、施設内の各ステージで遊戯（実施例では「鳥の育成シミュレーション」）を行い、施設内の適宜の場所、或いは、出口に設けられた「プリント出力装置」により、その遊戯（育成）結果と自身の顔写真との合成写真をプリントアウトするものである。そして、プリント物の出力に際しては、「ＩＤパスワード」を入力して、自分の顔写真や遊戯結果を記憶手段から読み出して、液晶ディスプレイに表示させるものである。
　即ち、甲第１号証に記載された発明は、「プリント出力装置」と「受付装置」とが離れた場所に設置され、遊戯者は、遊戯の途中、或いは、後に「プリント出力装置」を使用するものであるから、撮影画像は、必ずしも、「受付装置」での撮影順に「プリント出力装置」の液晶ディスプレイに表示されるものではなく、又、「プリント出力装置」が複数台設置されていることからみても、撮影画像を読み出すための「ＩＤパスワード」を必要不可欠の要件とするものである。
　なお、本件発明１は、第１筐体と第２筐体とが隣接して設けられ、使用者が撮影順に第１筐体から第２筐体に移動するため、撮影画像の読み出しにＩＤパスワード等を必要としないものである。
　そして、離れて設置された、甲第１号証記載の「プリント出力装置」と「受付装置」とを「隣接して設ける」ことの可能性について更に検討すると、甲第１号証に記載された遊戯施設は、遊戯を行うことが主な目的であって、各ステージで遊戯（鳥の育成シミュレーション）を行い、その遊戯（育成）結果を自身の写真と共にプリントアウトするものであるから、写真を撮影する入り口に、「受付装置」と隣接して「プリント出力装置」を設けることは到底考えられない構成である。なぜならば、そのような構成では、自身の顔写真に合成すべき遊戯（育成）結果を入手できないからである。又、上記第４　４．Ｈの「撮影場所とプリント物の排出場所とを遊戯の流れに沿ったそれぞれに最適な場所に分割して設置できるので、遊戯の流れを邪魔することなく遊戯施設の中でプリント物をプリントできる。」、Ｉの「プリント物排出部を遊戯者移動領域１から離れた場所に設置する場合も本発明に含まれるものである。」、Ｊの「遊戯者に関する像の撮影場所とプリント物の排出場所とを遊戯の流れに沿ったそれぞれに最適な場所に分割して設置できるので、遊戯の流れを邪魔することなく遊戯施設の中でプリント物をプリントできる。さらに、プリント物の排出場所に撮影スペースを準備する必要が無く、しかも撮影機器を設置する必要もないので、遊戯施設の設計自由度が大きくなる。」等の記載からみても、「受付装置」と「プリント出力装置」とを隣接して設けることは、遊戯の結果をプリント出力する、且つ、遊戯の流れを重視する、甲第１号証に記載された発明の阻害要因となるものである。
　以上のとおりであるから、本件発明１は、甲第１号証に記載された発明とは課題も構成も相違するものであるから、甲第１号証に記載された発明に基づいて、当業者が容易に発明をすることができたものとは言えない。
　
　　ロ．甲第２号証について
　　　甲第２号証に、セルフポートレート撮影装置の第２の態様として記載されたものは、上記第４　４．Ｎの記載、特に「更に、ユーザのセルフポートレートを撮影するため、前記ビデオカメラを利用するためのセルフフォトグラフィー装置と、湿式写真プロセスを使用する第１プリンタと、所望のセルフポートレートを作り出すために前記ビデオ写真装置またはセルフフォトグラフィー装置を選択する選択手段とを備えるセルフポートレート撮影装置が提供される。」との記載、及び、上記Ｐ、Ｏの記載からみて、従来のフォトグラフィを撮影するセルフフォトグラフィー装置とおもしろい写真を提供するビデオ写真装置とを、（カメラを共通にするものではあるが）単に一緒にした装置であって、ユーザが、セルフフォトグラフィー装置又はビデオ写真装置のいずれかを選択する選択手段を備えているものである。
　即ち、甲第２号証に第２の態様として記載された発明は、普通の写真を撮影するセルフフォトグラフィー装置とおもしろい写真（合成写真）を作成するビデオ写真装置とを、画像を撮影するビデオカメラを共通のものとして、１つのセルフポートレート撮影装置として構成したものであり、ユーザは、単にポートレートだけを撮影したいのか、おもしろい写真を作成したいかによって、どちらかの装置を選択手段で選択するものであるから、セルフフォトグラフィー装置を選択すれば、ブース３０内のフォトグラフィーゾーン３４（図３参照）でポートレートを撮影し、ビデオ写真装置を選択すれば、ブース３０の側面に設けられたビデオ写真装置でおもしろい写真を作成するものである。
　なお、第２の態様に記載されたビデオ写真装置は、第１の態様のビデオ写真装置とは、モニタースクリーンが１つである点以外は同じもの（上記Ｎ参照）であるから、ユーザは、図３に記載された、ブースの側面に設けられたビデオカメラ写真装置によって、おもしろい写真の背景となるリアルタイム画像を撮影するものである。
　したがって、甲第２号証には、本件発明１の、顧客は不必要に待たせないために、撮影を行う第１筐体とお絵かきを行う第２筐体とを別に構成した点は記載も示唆もなく、本件発明１は、甲第２号証に記載された発明に基づいて発明をすることができたものいうことはできず、又、その課題（目的）からみて、甲第１号証と組み合わせることはできない。
　
　　ハ．甲第３号証について
　　　甲第３号証の第１、２図に記載された「第２のＶＤＵスクリーン」は、アイドルモード情報等を表示するもの（上記Ｒ、Ｓ参照）であるから、甲第３号証に記載された発明は、本件発明１が従来例としている写真自販機の域を出るものではない。
　
　　ニ．甲第４号証について
　　　甲第４号証に記載された「自動写真撮影装置」は、単に写真撮影を自動で行うもの（お絵かきの設備は有していない。）であって、ボックス構造体の側壁に設けられたＶＤＵ、該ＶＤＵ下方に設けられた手で操作し得る制御手段は、被撮影者（利用者）が幼児の場合に、（幼児では操作ができないために）同伴者が写真撮影の操作をするもの（上記Ｕ、Ｖ参照）であるから、ボックス内部で画像を撮影した利用者がボックス外部に移動して何らかの操作をするものではなく、甲第４号証は、上記本件発明１が発明を特定する事項とする２点について、引用例とはなり得ない。
　
　　ホ．甲第５号証について
　　　甲第５号証の図６には、２つの装置が隣接して設けられている実施例が記載されているが、上記Ｗに記載のとおり「１つの筐体内に２台分の装置をまとめたもので、第１ユニット３００Ａと第２ユニット３００Ｂを通信ケーブル１０で接続している。各ユニット３０ＯＡ及び３００Ｂの構成と動作は前記実施形態における映像プリント遊戯装置１００Ａ及び１０ＯＢと同様」のものであるから、単に、本件発明１が従来例としている写真自販機を２台、併設しただけのものであり、甲第５号証は、本件発明１が発明を特定する事項とする２点について、引用例とはなり得ない。
　
　　ヘ．甲第６号証について
　　　甲第６号証に記載された発明は、１つの筐体及びブースにおいて、撮影及びお絵かきを行うものであるから、甲第６号証に記載された発明は、本件発明１が従来例としている写真自販機の域を出るものではない。
　
　　ト．甲第７乃至１７号証及び参考文献１、２について
　　　甲第７乃至１７号証及び参考文献１、２には、本件発明１を特定する事項である「撮影を行う第１筐体と手書き画像の入力操作を行う第２筐体とを備えている」こと、及び、「両筐体を隣接して設ける」ことは記載も示唆もない。
　
　　チ．まとめ
　　　以上のとおりであるから、異議申立人の提示した、本件発明１の出願前、公知の甲第１乃至１７号証、及び、参考文献１、２には、本件発明１を特定する事項である「撮影を行う第１筐体と手書き画像の入力操作を行う第２筐体とを備えている」こと、及び、「両筐体を隣接して設ける」ことは記載も示唆もないから、甲第１〜１７号証、及び、参考文献１、２を以てしては、当業者が、本件発明１を容易に発明することができたものと言うことはできない。
　
　2)本件発明２乃至５について、
　本件発明２乃至５は、何れも本件発明１を引用するものであるから、本件発明１が、甲第１号証乃至甲第１７号証及び参考文献１、２に基づいて、当業者が容易に発明をすることができたものと言えない以上、本件発明２乃至５も、甲第１号証乃至甲第１７号証及び参考文献１、２に基づいて発明をすることができたものと言えない。
　
(３)特許法第２９条第１項第３号に関する特許異議の申立てについて
　1)本件発明１について
　　上記第３に記載したとおり、本件発明１は、訂正が認められたため、上記第４　３．に記載したとおりの発明となり、上記(２)に記載したとおりであるから、発明１は、甲第１乃至４号証の何れかに記載された発明とは到底言えず、本件発明１について特許法第２９条第１項第３号に関する異議申立人の主張は採用できない。
　2)本件発明２及び３について
　　本件発明２及び３は、本件発明１を引用するものであるから、上記1)に記載した理由で、本件発明２及び３についても、特許法第２９条第１項第３号に関する異議申立人の主張は採用できない。
　
(４)特許法第２９条の２に関する特許異議の申立てについて
　1)本件発明１について
　　上記第３に記載したとおり、本件発明１は、訂正が認められたため、上記第４　３．に記載したとおりの発明となり、上記(２)に記載した２点について、甲第１８号証には記載も示唆もないから、本件発明１は甲第１８号証に記載された発明とは到底言えず、本件発明１について特許法第２９条の２に関する異議申立人の主張は採用できない。
　2)本件発明３（訂正前の請求項５に係る発明）について
　　本件発明３は、本件発明１を引用するものであるから、上記1)に記載した理由で、本件発明３についても特許法第２９条の２に関する異議申立人の主張は採用できない。
　
(５)特許法第３９条に関する特許異議の申立てについて
　　上記第３に記載したとおり、本件発明１は、訂正が認められたため、上記第４　３．に記載したとおりの発明となった。
　他方、異議申立人東川泰之が、本件発明１と甲第２１号証に係る登録実用新案とは、同一の出願日に出願され、権利者が同一であると主張する、甲第２１号証の実用新案登録請求の範囲の請求項１に記載された考案をみると、該考案は、少なくとも「第１ブース」、「第２ブース」、「第３ブース」を、考案を特定する事項とするものであるから、「第３ブース」を有していない本件発明１と同一のものと言うことができず、本件発明１について特許法第３９条に関する異議申立人の主張は採用できない。
　
６．当審において通知した取消理由通知について
　本件明細書及び図面は、上記第３　１．のように訂正請求がなされ、その訂正が認められたので、平成１６年１２月１５日付けで通知した取消理由において指摘した、特許法第３６条第６項に関する不備な点は解消したものである。
　
７．むすび
　以上のとおりであるから、特許異議申立人の主張する理由及び証拠方法によっては、本件発明１乃至５に係る特許を、特許法第３６条第４項又は第６項、同法第２９条第２項、同法第２９条第１項第３号、同法第２９条の２、同法第３９条の規定に違反して特許されたものとすることはできない。
　又、他に本件特許を取り消すべき理由は見いだせない。
　よって、結論のとおり決定する。
【異議決定日】
平成１７年２月２４日（２００５．２．２４）
【訂正の要旨】
審決（決定）の【理由】欄参照。
（５４）【発明の名称】
写真自販機
（５７）【特許請求の範囲】
　【請求項１】　
使用者を撮影してその写真を販売する写真自販機であって、
　
略独立した空間を形成して使用者が撮影を行なう第１ブースがその前面に設けられるとともに、上記使用者を撮影する撮影手段を有する第１筐体と、
　
上記第１筐体と隣接して設けられ、略独立した空間を形成して上記第１ブースでの撮影が終了した使用者が手書き画像の入力操作を行なう第２ブースがその前面に設けられるとともに、使用者が上記撮影手段で撮影された撮影画像に合成される手書き画像を入力する手書き画像入力手段と、上記撮影画像を表示して上記手書き画像の入力を受け付けて入力された手書き画像と撮影画像との合成画像を表示する表示手段と、を有する第２筐体と、
　
上記合成画像を印刷媒体に印刷して写真プリントとして出力する写真出力手段と、
　
上記撮影手段による撮影回数をカウントするカウンタと上記手書き画像の入力可能時間を計測するタイマとを有する制御手段と、を備え、
　
上記制御手段は、上記第１筐体に対して、上記撮影手段による撮影回数が規定の撮影回数に達したときに撮影動作を終了させ、つぎの使用者による撮影動作を可能とさせるとともに、上記第２筐体に対して、あらかじめ設定された所定の入力可能時間に達したときに手書き画像の入力を停止させ、一定時間所定のメッセージ画面を上記表示手段に表示した後、上記第１筐体の撮影手段による撮影画像を上記第２筐体の表示手段に表示して上記使用者による手書き画像の入力を可能とさせるよう制御するものであり、異なる使用者が、
手書き
手書き
ことを特徴とする
　【請求項２】　上記第２筐体の
手書き
　【請求項３】　上記第１筐体と第２筐体とが一体的に形成されている請求項１
または２
　【請求項４】　
上記所定のメッセージ画面が、
に
である
または２
　【請求項５】　一定時間待機メッセージ画面を表示した
後
による手書き
４
【発明の詳細な説明】
　【０００１】
　【発明の属する技術分野】
　本発明は、ゲームセンター等に設置され、硬貨等の投入により使用者を撮影し、撮影画像をプリントして販売する写真自販機に関するものである。
　【０００２】
　【従来の技術】
　近年、ゲームセンター等において、写真を撮影してシールプリント等にする写真自販機が数多く設置されている。このような写真自販機としては、一般に、図９に示すようなものが用いられている。このものは、内部および前面に各種の装置が設けられた筐体１と、上記筐体１の上下から被写体２の背後まで達するように突き出された支柱３とを備えている。
　【０００３】
　そして、上記両支柱３の先端部分に、撮影の際の背景となるカーテン５が吊設され、上記筐体１，支柱３，カーテン５で囲まれた空間が、被写体２の撮影用ブースを形成している。上側の支柱３には、撮影用ブース内の被写体２を照射する２つのライト４が取り付けられている。
　【０００４】
　上記筐体１の内部には、被写体２を撮影するカメラ６が設けられている。上記筐体１のカメラ６の被写体２側に位置する面には、透明板１０が嵌め込まれている。また、上記筐体１の内部には、上記カメラ６から画像データを受信して画像合成等の処理を行なうコンピュータ装置７が設けられている。また、上記筐体１の被写体２側には、上記コンピュータ装置７から送信された合成画像等の画像信号を受信して画像を表示するディスプレイ８が設けられている。
　【０００５】
　さらに、上記筐体１の内部には、コンピュータ装置７から送信された画像データを受信し、この画像を印刷媒体１５に印刷するプリンタ９が設けられている。このプリンタ９で印刷された印刷媒体１５は、筐体１の右側面に形成された送出口１９から送出されるようになっている。
　【０００６】
　さらに、上記筐体１の前面には操作パネルが設けられ、この操作パネルにコントローラ１１が設けられている。上記コントローラ１１は、タッチペン１２を備え、使用者２が上記タッチペン１２の先端をディスプレイ８の表面に接触させて文字や図形等を描いて入力しうるようになっており、手書き入力された文字・図形等の画像データやスタンプ画像等が、カメラ６で撮影された被写体２の撮影画像と合成されてディスプレイ８に表示され、印刷媒体１５に印刷されるようになっている。
　【０００７】
　【発明が解決しようとする課題】
　上記写真自販機では、撮影用ブース内で撮影を行なったのち、手書き画像の入力も行なわれる。しかも、プリンタ９から排出される写真プリントも撮影用ブース内に向かって送出される。このため、一旦使用者２が撮影用ブースに入ると、撮影を行なって手書き画像を入力し、印刷が終了するまで撮影用ブースを占領することになる。したがって、つぎの使用者２は、前の使用者２が送出された写真プリントを手にしてその場からいなくなるまで撮影を開始することができず、顧客は不必要に待たされてイライラ感を抱き、店舗にとっては顧客の回転率が悪くなるという問題があった。
　【０００８】
　本発明は、このような事情に鑑みなされたもので、顧客の回転率を向上させることができる写真自販機の提供を目的とする。
　【０００９】
　【課題を解決するための手段】
　上記の目的を達成するため、本発明の写真自販機は、使用者
を
　
略独立した空間を形成して使用者が撮影を行なう第１ブースがその前面に設けられるとともに、上記使用者
する
　
上記第１筐体と隣接して設けられ、略独立した空間を形成して上記第１ブースでの撮影が終了した使用者が手書き画像の入力操作を行なう第２ブースがその前面に設けられるとともに、
撮影手段で撮影された
手書き
手書き
、上記撮影画像を表示して上記手書き画像の入力を受け付けて入力された手書き画像と撮影画像との合成画像を表示する表示手段と、
する
と、
　
上記
と、
　
上記撮影手段による撮影回数をカウントするカウンタと上記手書き画像の入力可能時間を計測するタイマとを有する制御手段と、を備え、
　
上記制御手段は、上記第１筐体に対して、上記撮影手段による撮影回数が規定の撮影回数に達したときに撮影動作を終了させ、つぎの使用者による撮影動作を可能とさせるとともに、上記第２筐体に対して、あらかじめ設定された所定の入力可能時間に達したときに手書き画像の入力を停止させ、一定時間所定のメッセージ画面を上記表示手段に表示した後、上記第１筐体の撮影手段による撮影画像を上記第２筐体の表示手段に表示して上記使用者による手書き画像の入力を可能とさせるよう制御するものであり、異なる使用者が、上記第１筐体の撮影手段による撮影と第２筐体の手書き画像入力手段による手書き画像の入力とを同時に行ない得るよう構成さ
　【００１０】
　すなわち、本発明の写真自販機は、
使用者
手書き
手書き
手書き
手書き
　【００１１】
　本発明の写真自販機において、上記第２筐体の
手書き
手書き
手書き
　【００１２】
　本発明の写真自販機において、上記第１筐体に
使用者が撮影を行なう
手書き
手書き
手書き
　【００１３】
　本発明の写真自販機において、上記第１筐体と第２筐体とが一体的な筐体に形成されている場合には、場所を移動することによる混乱等が少なく、顧客はイライラ感を抱かなくなり、店舗にとっては顧客の回転率が向上する。
　【００１４】
　本発明の写真自販機において、上記第１筐体の撮影手段による撮影と、第２筐体の
手書き
手書き
手書き
　【００１５】
　【発明の実施の形態】
　つぎに、本発明の実施の形態を詳しく説明する。
　【００１６】
　図１および図２は、本発明の写真自販機の一実施の形態を示す図である。この写真自販機は、内部および前面に各種の装置が設けられた第１筐体１ａと、同じく内部，前面ならびに側面に各種の装置が設けられた第２筐体１ｂとを備えている。以下、被写体２に面する側を各筐体１ａ，１ｂの「前面」、その反対側を「背面」、被写体２から見て右側の側面を各筐体１ａ，１ｂの「右側面」、その反対の側面を「左側面」という。
　【００１７】
　上記第１および第２筐体１ａ，１ｂの前面には、被写体２の背後を囲うよう箱状にフレーム３が組まれ（図１では一部を鎖線で示している）、第１筐体１ａ前のフレーム３で囲われた部分が被写体２が入る第１ブース１４ａを形成し、第２筐体１ｂ前のフレーム３で囲われた部分が被写体２が入る第２ブース１４ｂを形成している。
　【００１８】
　上記第１筐体１ａと第２筐体１ｂとは、隣接されて設けられており、上記第１ブース１４ａと第２ブース１４ｂも隣接されて設けられている。そして、上記各フレーム３のうち上側のフレームには、それぞれカーテン５（図１には示していない）が吊設され、第１ブース１４ａおよび第２ブース１４ｂがそれぞれカーテン５で囲われてある程度独立した空間を形成するようになっている。
　【００１９】
　上記第１筐体１ａの内部には、被写体２を撮影するカメラ６が設けられている。上記第１筐体１ａのカメラ６の被写体２側に位置する面には、透明板１０が嵌め込まれている。また、上記第１筐体１ａの上部には、撮影中の被写体２を照明するライト４が設けられている。
　【００２０】
　さらに、上記第１筐体１ａの被写体２側には、上記カメラ６で撮影された画像信号を受信して表示する第１ディスプレイ８ａが設けられている。上記第１ディスプレイ８ａとしては、ＣＲＴ装置等が用いられ、撮影中の使用者２に撮影画像を見やすく表示し、プレビュー確認等が行いやすくなっている。
　【００２１】
　また、上記第１筐体１ａの前面には、カメラ６で撮像された撮像映像を所定のタイミングで固定して静止画としての撮影映像を得るためのシャッタボタン１３が設けられている。また、上記第１筐体１ａの前面には、上記シャッタボタン１３の操作により静止画として固定された撮影映像が気に入らない場合に撮りなおしを行なうキャンセルボタン２０が設けられている。さらに、第１筐体１ａの前面には、対価としてのコインを投入するコイン投入口１８が設けられている。
　【００２２】
　また、第１筐体１ａ内部のコイン投入口１８に隣接した位置には、投入されたコインを検出して後述するコンピュータ装置７に検出信号を送信するコイン検出部１７（図３参照）が設けられている。また、筐体１前面の適所には、コンピュータ装置７から音声信号を受信して出力するスピーカ（図示せず）が設けられている。
　【００２３】
　一方、上記第２筐体１ｂの内部には、上記カメラ６から画像データを受信して画像の固定や画像合成等の処理を行なうコンピュータ装置７が設けられている。また、上記第２筐体１ｂの前面には、所定のシャッタタイミングで固定された撮影画像等を表示する第２ディスプレイ８ｂが設けられている。上記第２ディスプレイ８ｂとしては、液晶タブレット等が用いられ、後述するように、画像や情報の表示とともにデータの入力を行ない得るようになっている。
　【００２４】
　さらに、上記第２筐体１ｂの前面には操作パネルが設けられ、この操作パネルにコントローラ１１（図３参照）が設けられている。上記コントローラ１１は、タッチペン１２を備えており、使用者２が第２ディスプレイ８ｂに表示される操作指示に従って第２ディスプレイ８ｂの表面をタッチペン１２でタップ（軽く叩く）等することにより、各種の操作信号がコンピュータ装置７に送られ、シートレイアウトの選択等の各種操作が行なわれるようになっている。
　【００２５】
　また、上記タッチペン１２は、その先端を第２ディスプレイ８ｂの表面に接触させて文字や図形等を描いて入力しうるようになっており、手書き入力された文字・図形等の画像データやスタンプ画像等が、カメラ６で撮影されて固定された被写体２の撮影画像と合成されて第２ディスプレイ８ｂに表示されるようになっている。
　【００２６】
　さらに、上記第２筐体１ｂの内部には、コンピュータ装置７から送信された画像データを受信し、この画像を印刷媒体１５に印刷するプリンタ９が設けられている。このプリンタ９で印刷された印刷媒体１５は、第２筐体１ｂの左側面に形成された送出口１９から送出されるようになっている。
　【００２７】
　この例において、使用者２が第１ディスプレイ８ａから見る画像は、被写体２の撮影像であり、第２ディスプレイ８ｂから見る画像およびプリンタ９から印刷される画像は、被写体２の撮影像と、タッチペン１２による手書き入力画像等とが合成されたものである。図２において、１６は第１筐体１ａと第２筐体１ｂの間で電気的な配線を通す連通部である。
　【００２８】
　つぎに、上記コンピュータ装置７のシステム構成について詳しく説明する。
　【００２９】
　図３に示すように、上記コンピュータ装置７は、タッチペン１２により第２ディスプレイ８ｂの入力部３５に入力された各種の操作信号をコントローラ１１を介して受信し、受信した操作信号に応じて各種制御を行なう制御手段３１を備えている。上記制御手段３１は、コイン検出部１７からの検出信号を受信することにより、撮影等の制御を開始するようになっている。
　【００３０】
　上記第２ディスプレイ８ｂには、タッチペン１２によって手書き画像や操作信号が入力される入力部３５と、画像等を表示する表示部３６とが設けられている。上記タッチペン１２で入力された手書き画像等は、ペン画像記憶部３２に記憶され、記憶された手書き画像等のデータは、後述する画像合成手段３０に送られる。また、タッチペン１２によって入力された操作信号は、コントローラ１１を介して制御手段３１に送られ、各種の制御が行なわれる。
　【００３１】
　上記コンピュータ装置７には、タッチペン１２によるペン入力画像の入力可能時間を計測するタイマ２６が設けられている。上記タイマ２６は、制御手段３１による手書き画像開始の指示メッセージを第２ディスプレイ８ｂに表示させるのとほぼ同時に計測を開始する。上記タイマ２６の計測時間があらかじめ設定された所定の入力可能時間（例えば９０秒等）に達したときに手書き画像等の入力を停止してつぎの動作に移るようになっている。
　【００３２】
　また、上記コンピュータ装置７には固定画像記憶部３８が設けられ、使用者２によるシャッタボタン１３の操作により所望のシャッタタイミングで撮像映像を静止画像として固定するようになっている。そして、上記固定画像記憶部３８に固定された静止画としての撮影画像は、第１ディスプレイ８ａに表示されるようになっている。
　【００３３】
　また、上記コンピュータ装置７には、シャッタボタン１３のシャッタ操作によるカメラ６での撮影回数をカウントするカウンタ２５が設けられている。上記カウンタ２５は、コイン検出部１７による最初のコインの検出によってリセットされてカウントを開始する。上記カウンタ２５のカウントがあらかじめ設定された所定の撮影可能回数（例えば４同等）に達するまで、一定の時間間隔で撮影を繰り返し、複数の撮影画像（静止画像）を得るようになっている。
　【００３４】
　上記撮影画像（静止画像）は、第１ディスプレイ８ａに表示されて使用者２に対してプレビュー確認させるようになっている。そして、第１ディスプレイ８ａには、プレビューを確認させた静止画像について撮りなおしを希望するか否かの選択を促す画面を表示し、使用者２が撮りなおしを希望する場合は、キャンセルボタン２０でキャンセル操作を行なって再度シャッタ操作を行なうようになっている。
　【００３５】
　さらに、上記コンピュータ装置７には画像合成手段３０が設けられ、上記固定画像記憶部３８に固定された静止画像に、タッチペン１２によって第２ディスプレイ８ｂの入力部３５に入力され、ペン画像記憶部３２に記憶された文字や図形等の手書き画像等を合成するようになっている。上記画像合成手段３０で合成された合成画像は、第２ディスプレイ８ｂの表示部３６に表示されるようになっている。
　【００３６】
　また、上記コンピュータ装置７には、送受信手段３９が設けられている。上記送受信手段３９は、例えばインターネット等の通信回線（ＮＥＴ）に接続され、撮影画像や合成画像，アンケートの回答等を上記通信回線を介して外部に出力し、外部のサーバに格納したり端末装置等に出力して表示したり印刷したりできるようになっている。
　【００３７】
　さらに、上記コンピュータ装置７は、プリンタ９による印刷を制御する印刷制御部３４を備えている。上記印刷制御部３４は、所定のシートレイアウトにより印刷媒体１５に合成画像を印刷するよう制御する。ここで、上記第２ディスプレイ８ｂの表示部３６には、印刷媒体１５の送出口１９の位置を使用者２に知らせるメッセージ画面を表示するようになっている。
　【００３８】
　上記写真自販機の動作の一例について、図４のフローチャートを参照しながら説明する。ここで、図４において、「Ｓ」はステップを意味する。
　【００３９】
　まず、使用者は、第１筐体１ａ前の第１ブース１４ａに入り、第１ディスプレイ８ａにデモ画面が表示されているなか、使用者２がコイン投入口１８に必要なコインを投入すると（Ｓ１２０）、カメラ６による被写体２の撮像が開始される（Ｓ１４０）。撮像の開始により、第１ディスプレイ８ａに撮像映像が動画としてリアルタイムで表示される。
　【００４０】
　つぎに、使用者２が第１ディスプレイ８ａの表示画像を見ながら被写体２の位置調整を完了した後に、シャッタボタン１３を操作してシャッタ操作の操作信号を入力すると（Ｓ１６０）、使用者２にポーズをとるよう指示し、それから所定時間のカウントダウン後に、所定の瞬間の撮像映像が固定画像記憶部３８に固定される（Ｓ１８０）。このとき、第１ディスプレイ８ａには、そのときの撮影画像が静止画像として表示される。
　【００４１】
　そして、固定された静止画像を第１ディスプレイ８ａに表示して使用者２に対してプレビュー確認させ、第１ディスプレイ８ａにはプレビューを確認させた静止画像について撮りなおしを希望するか否かの選択を促すメッセージを表示する（Ｓ２００）。
　【００４２】
　ステップ２００において、使用者２が撮りなおしを希望する場合は、キャンセルボタン２０の操作によるキャンセル操作を行なってステップ１６０に戻り、再度、カメラ６による撮像とシャッタ操作とを行なう。ステップ２００において、撮りなおしを行なわない場合は、カウンタ２５の撮影回数が規定の撮影可能回数に達しているか否かが確認される（Ｓ２２０）。
　【００４３】
　ステップ２２０において、規定の撮影可能回数に達していなければ、ステップ１６０に戻り、再度、カメラ６による撮像とシャッタ操作とを行なう。一方、ステップ２２０において、規定の撮影可能回数に達していれば、第１ディスプレイ８ａに「撮影は終了です。隣のブースでお絵かきをしてください」というメッセージが表示され、第１筐体１ａでの撮影動作は終了する。
　【００４４】
　つぎに、使用者２は、第１筐体１ａ前の第１ブース１４ａから第２筐体１ｂ前の第２ブース１４ｂに移動してタッチペン１２を操作することによる手書き画像等の入力を開始する（Ｓ２４０）。
　【００４５】
　ここで、図２に示すように、第１の使用者２ａが第２ブース１４ｂに移動して手書き画像の入力を開始すると、第２の使用者２ｂが第１ブース１４ａに入ってコインを投入し、ステップ１２０〜ステップ２２０の撮影動作を行ない得るようになっている。このように、第１筐体１ａのカメラ６による撮影と、第２筐体１ｂのタッチペン１２による手書き画像の入力とを同時に行ない得るようになっているため、カメラ６によって撮影された撮影画像への手書き画像の入力を行なうときに、つぎの使用者による撮影が開始でき、顧客はイライラ感を抱かなくなり、店舗にとっては顧客の回転率が向上する。
　【００４６】
　第２ディスプレイ８ｂに表示される手書き画像の入力画面の一例を図５に示す。この手書き画像入力画面において、２１ａ，２１ｂ，２１ｃは、それぞれ手書きペン，スタンプ画像，アルファベット文字を入力する際にタッチペン１２でタップするアイコンである。
　【００４７】
　手書き画像を入力する際には、手書きペンのアイコン２１ａをタッチペン１２の先端でタップしてから、タッチペン１２の先端を、第２ディスプレイ８ｂに表示された撮影画像２２の上に接触させて絵や文字を描くことにより、手書き画像の入力が行なわれる。
　【００４８】
　スタンプ画像を入力する際には、スタンプ画像のアイコン２１ｂをタッチペン１２の先端でタップしてから、タッチペン１２の先端を、第２ディスプレイ８ｂに表示された撮影画像２２の上に接触させることにより、スタンプ画像の入力が行なわれる。
　【００４９】
　アルファベット文字を入力する際には、アルファベット文字のアイコン２１ｃをタッチペン１２の先端でタップしてから、タッチペン１２の先端を、第２ディスプレイ８ｂに表示された撮影画像２２の上に接触させることにより、アルファベット文字の入力が行なわれる。
　【００５０】
　このようにして、図６に示すように、手書き画像２７やスタンプ画像２８等が入力され、表示された撮影画像２２の上に合成される。
　【００５１】
　そして、上記手書き画像等の入力は、タイマ２６の計測時間があらかじめ設定された所定の入力可能時間（例えば９０秒等）に達するまで続けられる（Ｓ２６０）。ステップ２６０において規定の入力可能時間に達すると、手書き画像等の入力が停止され、印刷の際のシートレイアウトの選択が行なわれる（Ｓ２８０）。ここでのシートレイアウトの選択は、第２ディスプレイ８ｂの表示部３６にシートレイアウトの見本画面が表示され、タッチペン１２の操作により所望のシートレイアウトを選択することが行なわれる。
　【００５２】
　ついで、シートレイアウトの選択が終了すると、合成画像の画像データがプリンタ９に送られ、ステップ２８０で選択されたシートレイアウトにより印刷が開始される（Ｓ３００）。印刷が開始されると、印刷終了までの間に使用者２が待機する場所を示す待機メッセージ画面が第２ディスプレイ８ｂの表示部３６に表示される（Ｓ３２０）。
　【００５３】
　上記待機メッセージ画面は、例えば、図７に示すように、印刷された写真プリントが送出口１９から送出される場所（この例では第２筐体１ｂの左側面）を示す矢印２９と、「プリントしています。こちらがわに出てまっててね！」というメッセージとが表示されている。そして、一定時間待機メッセージ画面を表示したのち、第２ディスプレイ８ｂにはデモ画面が表示され、印刷の終了を待たずにつぎの使用者の手書き画像の入力を待機する状態となる。そののち、印刷が終了すると、印刷された印刷媒体１５（写真プリント）が出力される。
　【００５４】
　ここで、シートレイアウトの一例を図８に示す。この例では、写真プリントとしてシールプリントに出力した例を示しており、４１はシール台紙、４２はシールである。
　【００５５】
　このように、上記写真自販機によれば、撮影は第１筐体１ａ前の第１ブース１４ａで行い、手書き画像の入力は第２筐体１ｂ前の第２ブース１４ｂで行なうことができる。このように、撮影と手書き画像の入力を異なる場所で行うことから、顧客は不必要に待たされることによるイライラ感を抱かなくなり、店舗にとっては顧客の回転率が大幅に向上する。また、第１筐体１ａ前の第１ブース１４ａで撮影が終了した使用者は、スムーズに第２筐体１ｂ前の第２ブース１４ｂの前に移動して第２画像の入力を行なえる。また、異なる顧客が同時に撮影と手書き画像の入力を行なっても、隣の顧客が気になりにくいため、場所を移動することによる混乱等が少なくなる。
　【００５６】
　なお、上記写真自販機において、合成画像を印刷するかわりに、送受信手段３９により通信回線を介して外部に出力し、外部のサーバに格納したり端末装置等に出力して表示したり、あるいは外部で印刷したりすることもできる。また、上記写真自販機では、コンピュータ装置７を第２筐体１ｂ内に設けるようにしたが、コンピュータ装置７を第１筐体１ａ内に設けるようにしても良い。
　【００５７】
　また、上記実施の形態では、第１筐体１ａと第２筐体１ｂとを備えた例を示したが、これに限定するものではなく、第１筐体１ａと第２筐体１ｂ以外に第３筐体や第４筐体を備えるようにしてもよいし、第１筐体１ａと第２筐体１ｂとを一体的に形成して１つの筐体にすることもできる。
　【００５８】
　また、上記実施の形態において、プリンタ９としては、昇華型プリンタ，インクジェットプリンタ，レーザプリンタ，熱転写型プリンタ，溶融型プリンタ，サーマルプリンタ，印画紙プリンタ，インスタントフィルムプリンタ等、各種のタイプのプリンタを適用することができ、特に限定するものではない。
　【００５９】
　また、上記実施の形態では、出力する写真プリントがシールプリントである例を示したが、これに限定するものではなく、カード等として出力するものも含む趣旨であり、印刷媒体１５の材質や構成を限定する趣旨ではない。
　【００６０】
　また、上記実施の形態では、コインの投入により撮影を開始するようにしたが、これに限定するものではなく、紙幣，プリペイドカード，メダル，クレジットカード，キャッシュカード等、撮影の対価として支払いうるものであれば、各種の態様を含む趣旨である。また、これらは、単独で用いる場合だけでなく、組み合わせて用いる場合も含む趣旨である。
　【００６１】
　また、上記実施の形態では、カメラ６での撮像映像とペン入力画像等とのふたつの画像を合成するようにしたが、これに限定するものではなく、これらの画像に、さらに前景や背景等になるフレーム画像を合成するようにしてもよい。
　【００６２】
　また、上記実施の形態において、カメラ６としては、デジタルカメラを用いることもできるし、ビデオカメラを用いることもでき、撮影画像を電気信号に変換しうるものであれば特に限定するものではなく、各種のものを用いることができる。さらに、上記実施の形態では、１台のカメラ６を備えた例を示したが、これに限定するものではなく、複数台のカメラ６を備えるようにしても差し支えない。
　【００６３】
　また、上記実施の形態では、スタンプ画像は、スタンプ画像格納部（図示せず）に格納されたものを用いるようにしたが、これに限定するものではなく、フロッピディスク，ＣＤ−ＲＯＭ，ＣＤ−Ｒ，光磁気ディスク等の各種の記憶媒体に記憶された画像データを読取って使用するようにすることもできる。
　【００６４】
　【発明の効果】
　以上のように、本発明の写真自販機によれば、撮影は第１筐体で行い、
手書き
手書き
【図面の簡単な説明】
　【図１】
　本発明の写真自販機の一実施の形態を示す斜視図である。
　【図２】
　上記写真自販機を示す横断面図である。
　【図３】
　コンピュータ装置のシステム構成図である。
　【図４】
　上記写真自販機の動作の一例を説明するフローチャート図である。
　【図５】
　手書き画像の入力画面の一例を示す図である。
　【図６】
　手書き画像の入力状態の一例を示す図である。
　【図７】
　メッセージ画面の一例を示す図である。
　【図８】
　合成画像をシールプリントに出力した状態の一例を示す図である。
　【図９】
　従来例を示す断面図である。
　【符号の説明】
　１ａ　第１筐体
　１ｂ　第２筐体
　２　被写体
　６　カメラ
　８ｂ　第２ディスプレイ
　９　プリンタ
　１２　タッチペン
　１４ａ　第１ブース
　１４ｂ　第２ブース
　１５　印刷媒体